(57)【特許請求の範囲】
【請求項１】
防水シートと下地層とからなる防水層を躯体表面に固定する固定具であって、
貫通孔を有する平板と、
前記貫通孔と対向するように設けられ、ネジ部を備えた底部と、
前記底部と前記平板とを連結する連結部と、を有し、
前記連結部は、その外壁面にネジ溝が設けられ、
前記連結部の長さをＸ［ｍｍ］、前記下地層の厚さをＹ［ｍｍ］としたとき、０．９０≦Ｘ／Ｙ≦１．００の関係を満足することを特徴とする固定具。
【請求項２】
前記連結部は、前記平板から前記底部に向かって幅が漸減するよう構成されている請求項１に記載の固定具。
【請求項３】
請求項１または２に記載の固定具を用いたシート防水構造であって、
前記躯体と、前記下地層と、前記防水シートと、前記固定具と、固定ネジと、を備え、
前記固定具は、前記連結部が前記下地層を貫通した状態で前記ネジ部を介して前記固定ネジによって前記躯体に固定され、
前記平板の前記連結部とは反対側の面と前記防水シートとが接合されていることを特徴とするシート防水構造。
【発明の詳細な説明】
【技術分野】
【０００１】
本発明は、固定具およびシート防水構造に関する。
【背景技術】
【０００２】
工場の屋根上やビルの屋上等には、防水のために、断熱層と防水シートからなる防水層が敷設されていることが多い。図６には、折れ板状の金属板の屋根に防水層が敷設されている防水構造体の一例を示す。以下、工場、ビル、学校の校舎等の事業用の建造物やマンション等の住居用の建造物の屋根、ベランダ、バルコニー等の防水層が敷設されている対象を躯体と総称する。図６に示す防水構造体は、躯体２１上に、断熱層２２と断熱層２２を覆う防水シート２３からなる防水層２４が敷設されている。なお、図６では、躯体２１の全体形状が分かり易いように、防水層２４を二点鎖線で示す部分で切り取った防水層２４の一部のみを図示しているが、実際は、防水層２４は、躯体２１の表面全体に敷設されている。
【０００３】
このような防水構造体では、図７に示すように、固定ネジ４１を、固定板４５の挿通孔４６に挿通させた固定具５１を用いて、防水層２４が固定されている。断熱層２２は、固定ネジ４１を断熱層２２に捻じ込み貫通させ、さらに、躯体２１に捻じ込むことより、躯体２１に固定されており、また、防水シート２３は、固定板４５の防水シート側の面５２に防水シート２３を接着させることにより、躯体２１に固定されている。
【０００４】
このような従来の防水構造体には、強風に曝されることにより、躯体に捻じ込んだ固定ネジが抜けてしまうという問題があった。
【０００５】
このような問題を解決するために、躯体における固定ネジが捻じ込まれる部分の上面に金属補強板を設置し、固定ネジを断熱層を貫通して金属補強板と躯体の両者に捻じ込み固定させる金属下地屋根構造が知られている（例えば、特許文献１参照）。
【０００６】
しかしながら、金属補強板を設置してもなお、強風に曝されることにより、躯体に捻じ込んだ固定ネジが抜けてしまう場合があった。
【先行技術文献】
【特許文献】
【０００７】
【特許文献１】特開２００６−２３３５５６号公報
【発明の概要】
【発明が解決しようとする課題】
【０００８】
本発明の目的は、強風に曝されても、躯体に捻じ込んだ固定ネジが抜け難い固定具およびシート防水構造を提供することにある。
【課題を解決するための手段】
【０００９】
このような目的は、下記（１）〜（３）に記載の本発明により達成される。
（１）  防水シートと下地層とからなる防水層を躯体表面に固定する固定具であって、
貫通孔を有する平板と、
前記貫通孔と対向するように設けられ、ネジ部を備えた底部と、
前記底部と前記平板とを連結する連結部と、を有し、
前記連結部は、その外壁面にネジ溝が設けられ、
前記連結部の長さをＸ［ｍｍ］、前記下地層の厚さをＹ［ｍｍ］としたとき、０．９０≦Ｘ／Ｙ≦１．００の関係を満足することを特徴とする固定具。
【００１０】
（２）  前記連結部は、前記平板から前記底部に向かって幅が漸減するよう構成されている上記（１）に記載の固定具。
【００１２】
（３）  上記（１）または（２）に記載の固定具を用いたシート防水構造であって、
前記躯体と、前記下地層と、前記防水シートと、前記固定具と、固定ネジと、を備え、
前記固定具は、前記連結部が前記下地層を貫通した状態で前記ネジ部を介して前記固定ネジによって前記躯体に固定され、
前記平板の前記連結部とは反対側の面と前記防水シートとが接合されていることを特徴とするシート防水構造。
【発明の効果】
【００１３】
本発明によれば、強風に曝されても、躯体に捻じ込んだ固定ネジが抜け難い固定具およびシート防水構造を提供することができる。
【図面の簡単な説明】
【００１４】
【図１】本発明のシート防水構造の好適な実施形態を示す断面図である。
【図２】本発明の固定具の好適な実施形態を示す斜視図である。
【図３】図２に示す固定具の連結部の（ａ）縦断面図および（ｂ）横断面図である。
【図４】他の実施形態に係る固定具の連結部の横断面図である。
【図５】他の実施形態に係る固定具の連結部の縦断面図である。
【図６】従来のシート防水構造を示す斜視図である。
【図７】従来のシート防水構造を示す断面図である。
【発明を実施するための形態】
【００１５】
以下、本発明の固定具およびシート防水構造を添付図面に示す好適実施形態に基づいて詳細に説明する。
【００１６】
１．固定具およびシート防水構造
図１は、本発明のシート防水構造の好適な実施形態を示す断面図、図２は、本発明の固定具の好適な実施形態を示す斜視図、図３は、図２に示す固定具の連結部の（ａ）縦断面図および（ｂ）横断面図である。
【００１７】
図１に示すように、シート防水構造１０は、躯体１００と、躯体１００の表面に敷設されている防水層１１０と、防水層１１０を固定するための固定具１２０と、固定ネジ１３０と、を有する。
【００１８】
本実施形態では、シート防水構造１０が施工された、屋根のような躯体（構造体）１００を一例にして説明する。
【００１９】
躯体１００は、折れ板状の金属板で構成されている。
躯体１００の表面に敷設された防水層１１０は、図１に示すように、躯体１００の表面を覆う断熱層１１１と、断熱層（下地層）１１１の表面を覆う防水シート１１２とで構成されている。
【００２０】
断熱層１１１の材質としては、通常、建物の断熱に用いられる断熱材であれば、特に制限されず、例えば、発泡ポリスチレン、ポリウレタンフォーム、ポリイソシアヌレートフォーム、フェノールフォーム等が挙げられる。
【００２１】
断熱層１１１としては、特に制限されず、躯体と防水シートとの間に配置されて、断熱機能を発揮するものであればよい。断熱層は、上記のような断熱材のみで形成されていてもよいし、他には、例えば、上記のような断熱材上に（上記断熱材と固定板との間に）、例えば、ポリエチレン製の織布からなる絶縁クロスシート、ガラス繊維製の防火用シート、ピンホール検査用のアルミ箔ラミネートシート等や、人の歩行を可能にする目的で、歩行用ボードとして、珪酸カルシウム板、石綿スレート板、軽量気泡コンクリート板等の高剛性板が敷かれているものであってもよく、この場合は、上記断熱材及びその上に敷かれている絶縁クロスシート、防火用シート、アルミ箔ラミネートシート、高剛性板等が、断熱層である。
【００２２】
防水シート１１２の材質としては、防水性と耐候性を有し、通常、建物の防水シートとして用いられるものであれば、特に制限されず、例えば、ポリ塩化ビニル樹脂、ポリオレフィン系樹脂、エチレン酢酸ビニル共重合体等の軟質の合成樹脂、合成ゴム系の材質等が挙げられる。これらのうち、防水シート１１２の材質としては、ポリ塩化ビニル樹脂が、溶剤溶着性や熱融着性に優れる点で好ましい。防水シートの厚みは、特に制限されず、必要に応じて適宜選択される。
【００２３】
固定具１２０は、一体的に成形されたものであり、貫通孔１２１を備えた平板１２２と、貫通孔１２１と対向するように設けられた底部１２３と、底部１２３の中央部に貫通孔１２１と対向するように設けられたネジ部１２４と、底部１２３およびネジ部１２４と平板１２２とを連結する連結部１２５と、を有している。
【００２４】
平板１２２は、図２に示すように、平面視で真円状をなし、その縦断面形状が長方形状をなしている。すなわち、中心部側から縁部側に向かって厚さが一定の全体形状が円盤状をなすものである。
【００２５】
また、平板１２２は、中央部に貫通孔１２１を備えている。
平板１２２の材質としては、特に制限されないが、例えば、鉄、ステンレス鋼などの金属、熱硬化性樹脂、熱可塑性樹脂などの合成樹脂等が挙げられる。
【００２６】
平板１２２が、表面が合成樹脂で被覆されている鋼板等の金属板の場合、固定板に被覆されている合成樹脂としては、ポリ塩化ビニル樹脂、ポリオレフィン系樹脂、エチレン酢酸ビニル共重合体等の軟質の合成樹脂、合成ゴム系の材質等が挙げられる。これらのうち、固定板に被覆されている合成樹脂としては、ポリ塩化ビニル樹脂が、溶剤溶着性や熱融着性に優れる点で、好ましい。
【００２７】
平板１２２の厚みは、特に制限されず、必要に応じて適宜選択される。
平板１２２は、断熱層１１１と防水シート１１２との間に配置される。
平板１２２の防水シート側の面は、防水シート１１２に接合されている。
【００２８】
平板１２２の防水シート１１２側の面と防水シート１１２との接合形態としては、例えば、防水シート１１２に覆われた状態で、防水シート１１２の上から、平板１２２の防水シート１１２側の面に被覆されている樹脂を加熱することにより、平板１２２の防水シート１１２側の面に被覆されている樹脂で融着された形態、防水シートを平板１２２の防水シート１１２側の面に載置するときに、平板１２２の防水シート１１２側の面に被覆されている樹脂に溶剤を塗布することにより、平板１２２の防水シート１１２側の面に被覆されている樹脂で溶着された形態、防水シートを平板１２２の防水シート１１２側の面に載置するときに、平板１２２の防水シート１１２側の面に接着剤を塗布することにより、接着剤で接着された形態等が挙げられる。
【００２９】
底部１２３は、貫通孔１２１と対向するように設けられている。
また、底部１２３の中央部には、固定ネジ１３０を挿通するネジ部１２４が設けられている。本実施形態において、底部１２３は躯体１００と接触するよう構成されている。
【００３０】
連結部１２５は、底部１２３の縁部と貫通孔１２１の縁部とを連結するよう構成されている。これにより、ネジ部１２４と平板１２２とが連結される。
【００３１】
本実施形態では、図１〜３に示すように、連結部１２５は、筒状をなしている。
連結部１２５の長さをＸ［ｍｍ］、断熱層（下地層）１１１の厚さをＹ［ｍｍ］としたとき、０．９０≦Ｘ／Ｙ≦１．００の関係を満足する。このような関係を満足することにより、固定具１２０を固定ネジ１３０により躯体１００に固定した際に、底部１２３と躯体１００とが接触した状態またはほぼ接触した状態となる。このため、ネジ部１２４を中心とした、固定具１２０の横揺れを防止することができる。その結果、強風に曝されても、躯体に捻じ込んだ固定ネジが緩んで抜けてしまうのを防止することができる。
【００３２】
なお、連結部１２５の長さをＸ［ｍｍ］、断熱層（下地層）１１１の厚さをＹ［ｍｍ］としたとき、０．９０≦Ｘ／Ｙ≦１．００の関係を満足するが、０．９５≦Ｘ／Ｙ≦１．００の関係を満足するのがより好ましい。これにより、本発明の効果がより顕著なものとなる。
【００３３】
また、図１〜３に示すように、連結部１２５は、平板１２２から底部１２３に向かって幅が漸減するよう構成されている。これにより、底部１２３、ネジ部１２４および連結部１２５を断熱層１１１に容易に挿通させることができる。
【００３４】
上記のような構成の固定具１２０は、例えば、表面に合成樹脂が被覆されている合成樹脂被覆鋼板をプレス加工することにより作製することができる。また、上記のような構成の固定具１２０は、例えば、合成樹脂を射出成形等の適宜の樹脂加工方法で成形することにより作製することができる。
【００３５】
固定ネジ１３０は、平面形状が円形のネジ頭と、側面にネジ山が形成されている軸と、先端部と、で構成されている。
【００３６】
固定ネジ１３０がネジ部１２４に挿通した状態で、固定ネジ１３０が躯体１００に捻じり込み固定されることで、躯体１００に固定具１２０が固定される。
【００３７】
固定ネジ１３０で固定された後には、貫通孔１２１内部に、接着剤等の充填材を充填してもよい。これにより、固定ネジ１３０の抜けをより確実に防止することができる。
【００３８】
なお、上記説明では、連結部１２５が筒状であるものについて説明したが、これに限定されない。例えば、連結部１２５は、図４に示すように、貫通孔１２１の縁部から底部１２３の縁部に延設された複数の板状部材で構成されていてもよい。
【００３９】
また、上記説明では、連結部１２５の表面が平坦なものについて説明したが、図５に示すように、連結部１２５の外壁面にネジ溝を形成してもよい。このような構成とすることにより、連結部１２５を断熱層１１１内へより容易に捻じ込むことができる。
【００４０】
２．シート防水構造の施工方法
上記のようなシート防水構造１０は、例えば、以下に示す方法により施工・構築される。
【００４１】
まず、躯体１００の表面に、断熱層１１１を載置する。
次に、断熱層１１１上の固定具１２０の設置箇所に、連結部１２５を断熱層１１１に貫通させて、固定具１２０を設置する。
【００４２】
次いで、ネジ部１２４を介して固定ネジ１３０を躯体２１に捻じ込むことにより、断熱層２２が、固定具１２０により、躯体２１に固定される。
【００４３】
次に、断熱層１１１および固定具１２０を覆うように、防水シート１１２を載置する。
次に、固定具１２０の防水シート１１２側の面と防水シート１１２とを接合させることにより、図１に示すシート防水構造１０が構築される。
【００４４】
以上、本発明の固定具およびシート防水構造について説明したが、本発明は、これらに限定されるものではない。
【００４５】
例えば、本発明のシート防水構造において、各構成は、同様の機能を発揮し得る任意のものと置換することができ、あるいは、任意の構成のものを付加することができる。
【００４６】
また、前記実施形態では、シート防水構造が断熱層を有するものとして説明したが、防水シートの下地層として機能するものであれば、断熱機能は無くてもよい。
【００４７】
また、前述した実施形態では、連結部が底部に向かって幅が漸減するよう構成されているものとして説明したが、漸減していなくてもよい。
【００４８】
また、前述した実施形態では、平板が円盤状のものとして説明したが、これに限定されず、板状であってもよい。
【００４９】
また、シート防水構造の施工方法には、任意の目的の工程が１または２以上追加されてもよい。
【符号の説明】
【００５０】
１０                シート防水構造
２１                躯体
２２                断熱層
２３                防水シート
２４                防水層
４１                固定ネジ
４５                固定板
５１                固定具
５２                面
１００              躯体
１１０              防水層
１１１              断熱層（下地層）
１１２              防水シート
１２０              固定具
１２１              貫通孔
１２２              平板
１２３              底部
１２４              ネジ部
１２５              連結部
１３０              固定ネジ
【図１】
0006516140.tif 000002
【図２】
0006516140.tif 000003
【図３】
0006516140.tif 000004
【図４】
0006516140.tif 000005
【図５】
0006516140.tif 000006
【図６】
0006516140.tif 000007
【図７】
0006516140.tif 000008